【事件の表示】
　平成　２年特許願第　８５３５８号「ディスクカセット」拒絶査定に対する審判事件［平成　３年１２月１３日出願公開、特開平　３−２８３１５５］について、次のとおり審決する。
【結　論】
　本件審判の請求は、成り立たない。
【理　由】
　本願は、平成２年３月３０日の出願であって、その発明の要旨は、平成１０年１２月７日付け手続補正書により補正された明細書及び図面の記載からみて、特許請求の範囲の請求項１に記載された次のとおりのものである。
「【請求項1】ディスクを収納したプラスティックからなるケースの前部の両面に、他の部分より一段低いシャッタ摺動面を形成し、このシャッタ摺動面を摺動して該シャッタ摺動面に形成されたヘッド挿入口を開閉するシャッタを設け、このシャッタを、ケースの前面に当接するケース端面重合片と、その両側に設けられ前記シャッタ摺動面に配置されたケース挾持片とからなる断面コ字状の金属板にて構成したディスクカセットにおいて、
　前記ケース挟持片の前記ケース端面重合片と反対側の端部は、前記ケース両面のシャッタ摺動面上に重ね合わされた自由端になっているとともに、
　前記ケース挟持片の外面は、前記ケース両面のシャッタ摺動面以外の部分より低く形成されている
　ことを特徴とするディスクカセット。」
（なお、本願明細書については、平成１１年７月１９日付けで手続補正がなされたが、これは平成１２年２月１６日付けの補正の却下の決定により却下され、この決定は確定したので、本願発明の要旨を上記の通りに認定した。）　
　
　これに対して、原査定の拒絶の理由において引用された引用例１（実願昭６０−７２９８５号（実開昭６１−１８９４７０号）のマイクロフィルム）には、「記録媒体であるディスクを合成樹脂にて成形された上下ハーフからなるカートリッジ内に収納させ、上下ハーフに設けた上下一対の記録、再生用のヘッド挿入孔を金属板にて断面ほぼコ形に折曲げ加工されたシャッターによって開閉するように構成し、シャッターの上下一対の水平板部の先端を内側に折曲げて上下ハーフの外面に設けられた上下一対のガイド溝内に挿入させると共に、上下ハーフの外面に上下一対のガイド溝と平行に取付けられた上下一対のガイド板によつてシャッターの上下一対の水平板部の先端を外側からガイドするように構成したデイスクカートリッジにおいて、前記シャッターの上下一対の水平板部の先端を内側に向けて斜めに折曲げ、その斜めに折曲げられた上下一対の水平板部の先端の傾斜とほぼ平行な傾斜面を前記上下一対のガイド溝及びガイド板に設けたことを特徴とするディスクカートリッジ。」（「実用新案登録請求の範囲」の項）、「シャッター８はステンレス板等の金属板によつて断面ほぼコ形にプレス加工されたものであって、長方形状をなす上下一対の水平板部９とこれらの一端部間を垂直に連結する垂直板部１０とを一体に有してしいる。そしてこのシャッター８の両水平板部９は上下ハーフ２、３の上下外面２ａ、３ａに設けられた上下一対の水平な凹所１１内に配置され、垂直板１０は上下ハーフ２、３の一方の端面２ｂ、３ｂに設けられた垂直な凹所１２内に配置されている。なお両光学ヘッド挿入孔７は両凹所１１に設けられている。そして上下ハーフ２、３ 間で凹所１２の内側に沿って水平に架設されたガイド軸１３に合成樹脂等にて成形されたラック等の摺動部材１４が摺動自在に取付けられていて、シャッター８の垂直板部１０がその摺動部材１４の側面１４ａにセルフタッピング用の複数のビス１５によつてビス止めされている。またシャツター８の両水平板部９の先端９ａは内側に一段低くほぼクランク状に折曲げられていて、これら両先端９ａは上下ハーフ２、３の両凹所１１に一段低く設けられた上下一対のガイド溝１６と上下ハーフ２、３の外面２ａ、３ａの段部１８に接着によってガイド溝１６と平行に取付けられたＡＢＳ樹脂等の合成樹脂からなる上下一対のガイド板１７との間に挿入されている。そしてカートリッジ４内のシャッター開閉機構（図示せず）によって摺動部材１４がガイド軸１３に沿って摺動されることによって、シャッター８が第３図に実線で示した開蓋位置と１点鎖線で示した閉蓋位置との間で矢印ａ方向に往復動されて、両水平板部９によって両光学ヘッド挿入孔７が開閉されるように横成されている。」（「従来の技術」の項及び第３，４，５図）、「本考案を光ディスクや光磁気ディスク等の書込み自在のディスクを用いたディスクカートリッジに適用した一実施例を第１図及び第２図によって説明する。なお第３図〜第５図に示した先願例と同一構造部には同一の符号を付してその説明を省略した。本考案は、シャツター８の上下一対の水平板部９の先端２１を内側に向けて斜めに折曲げ、その斜めに折曲げられた先端２１の傾斜とほぼ平行な傾斜面２２ａ、��３ａを上下ハーフ２、３に設けられた上下一対のガイド溝２２及びガイド板２３に設けたものである。なお、シャッター８の上下一対の水平板部９はカートリッジ４の上下一対の凹所１１内に矢印ｂ方向から差し込み、その際、上下一対の水平板部９の先端２１を上下一対のガイド溝２２内に矢印ｄ方向から挿入して、シャッター８の垂直板部１０を複数のビス１５によって摺動部材１４にビス止めする。また、上下一対のガイド板２３は上下ハーフ２、３と同一の合成樹脂素材であるポリカーポネート樹脂によって成形されたものであり、これらのガイド板２３は上下ハーフ２、３の段部１８に超音波溶着されている。」（「実施例」の項及び第１，２図）及び「シャッター８はステンレス板以外の金属板でプレス加工したものでも良い。また上下ハーフ２、３及びガイド板２３はポリカーボネート樹脂以外の樹脂で成形しても良い。また本考案は、光ディスクや光磁気ディスクの如き書込み自在のディスクを用いるものに限定されることなく、各種の記録及び/又は再生用のディスクを用いる各種のディスクカートリッジに適用可能である。」（「実施例」の項）ことが記載されている。
　
　そこで、本願発明と引用例１に記載された発明とを対比すると、後者の「上下ハーフ」、「凹所」、「ヘッド挿入孔」、「シャッター」、「垂直板部」、「水平板部」及び「ディスクカートリッジ」は、それぞれ前者の「ケース」、「他の部分より一段低いシャッタ摺動面」、「ヘッド挿入口」、「シャッタ」、「ケース端面重合片」、「ケース挟持片」及び「ディスクカセット」に相当するので、両者は「ディスクを収納したプラスティックからなるケースの前部の両面に、他の部分より一段低いシャッタ摺動面を形成し、このシャッタ摺動面を摺動して該シャッタ摺動面に形成されたヘッド挿入口を開閉するシャッタを設け、このシャッタを、ケースの前面に当接するケース端面重合片と、その両側に設けられ前記シャッタ摺動面に配置されたケース挾持片とからなる断面コ字状の金属板にて構成したディスクカセットにおいて、前記ケース挟持片の前記ケース端面重合片と反対側の端部は、前記ケース両面のシャッタ摺動面上に重ね合わされた特定端になっているとともに、前記ケース挟持片の外面は、前記ケース両面のシャッタ摺動面以外の部分より低く形成されていることを特徴とするディスクカセット。」である点で共通し、次の一点でのみ相違する。
即ち、上記特定端が、前者では、自由端であるのに対して、後者では、規制端（ガイド板で規制されている。）である点。
　
　よって、上記相違点について検討する。
この種ディスクカセットに於いて、上記特定端が自由端である構成は周知であるから、後者の該当部をそのような構成とすることにより、前者の構成を得ることに格別の困難性は認められない。
　
　以上のとおり、上記相違点は格別のものということができないし、本願発明の作用効果も後者より容易想到可能の域を出ないものであるから、本願発明は、引用例１に記載された発明に基づいて、当業者が容易に発明をすることができたものであると認められ、特許法第２９条第２項の規定により特許を受けることができない。
　よって、結論のとおり審決する。